【手続補正書】
【提出日】平成19年4月23日(2007.4.23)
【手続補正１】
【補正対象書類名】明細書
【補正対象項目名】発明の名称
【補正方法】変更
【補正の内容】
【発明の名称】直流−交流変換装置、制御回路、制御装置、及びそのコントローラＩＣ
【手続補正２】
【補正対象書類名】明細書
【補正対象項目名】特許請求の範囲
【補正方法】変更
【補正の内容】
【特許請求の範囲】
【請求項１】  半導体スイッチ回路を駆動して、負荷へ供給する交流電力を制御するためのコントローラＩＣであって、
前記負荷に流れる電流に基づく電流検出信号が入力される電流検出信号入力端子と、
前記電流検出信号入力端子から入力された電流検出信号に基づいて誤差信号を発生し、前記誤差信号に基づいて前記半導体スイッチ回路をスイッチングさせるＰＷＭ制御信号を発生するＰＷＭ制御信号発生回路と、
第一状態と第二状態の間で間欠的に変化する間欠動作信号を発生する間欠動作信号発生回路と、
前記間欠動作信号発生回路と前記コントローラＩＣ内部で接続され、前記間欠動作信号が前記第一状態にある時に前記ＰＷＭ制御信号発生回路による前記半導体スイッチ回路のスイッチングを停止させる間欠動作制御回路と、
を有することを特徴とするコントローラＩＣ。
【請求項２】  前記間欠動作信号は前記ＰＷＭ制御信号発生回路に入力される、
ことを特徴とする、請求項１に記載のコントローラＩＣ。
【請求項３】  前記間欠動作制御回路は、
前記電流検出信号入力端子に接続されるとともに、
一定の電流を出力する電流源と、
前記電流源の一端と接続され、前記間欠動作信号に基づいてオンオフ動作するスイッチと、
前記間欠動作信号が前記第一状態にある時に前記電流検出信号入力端子に前記電流源の電流を供給するダイオードと、
を有することを特徴とする請求項１に記載のコントローラＩＣ。
【請求項４】  前記ＰＷＭ制御信号発生回路は、
前記電流検出信号と基準信号とに基づいて前記誤差信号を発生する誤差増幅器を有し、
前記誤差信号に基づいて前記半導体スイッチ回路をスイッチングさせる、
ことを特徴とする、請求項１乃至３のいずれかに記載のコントローラＩＣ。
【請求項５】  前記間欠動作信号は、前記誤差増幅器に入力され、前記間欠動作制御信号が前記第一状態にある時に前記誤差信号を実質上零に設定させる、
ことを特徴とする請求項４に記載のコントローラＩＣ。
【請求項６】  前記誤差信号を前記コントローラＩＣ外部へ出力する誤差信号出力端子
を有することを特徴とする、請求項１乃至５のいずれかに記載のコントローラＩＣ。
【請求項７】  請求項６に記載のコントローラＩＣと、
前記コントローラＩＣの電流検出信号入力端子と誤差信号出力端子との間に接続されているコンデンサと、
を有することを特徴とする制御回路。
【請求項８】  一定の電流を出力する電流源を有し、
前記間欠動作制御回路は、間欠動作信号が前記第一状態にある時に前記電流源からの電流を前記電流検出信号入力端子から前記コントローラＩＣ外部に流すことで前記誤差信号を実質上零に設定させる
ことを特徴とする請求項１に記載のコントローラＩＣ。
【請求項９】  請求項８に記載のコントローラＩＣと、
前記コントローラＩＣの電流検出信号入力端子に接続されるコンデンサとを有し、
前記電流検出信号入力端子からの電流による前記コンデンサの充電によって前記電流検出信号入力端子の電位が上昇することで前記誤差信号が実質上零に設定される
ことを特徴とする、制御回路
【請求項１０】  請求項１に記載のコントローラＩＣと、
前記コントローラＩＣから出力される前記ＰＷＭ制御信号によってスイッチングされる半導体スイッチ回路と、
前記半導体スイッチ回路と接続される一次巻線と、少なくとも１つの二次巻線を有する変圧器と、
前記変圧器の前記二次巻線に接続される負荷と、
を有することを特徴とする直流ー交流変換装置。
【請求項１１】  前記負荷に流れる電流に基づく電流検出信号を出力する電流検出回路を有し、
前記電流検出信号は前記コントローラＩＣの電流検出信号入力端子より前記コントローラＩＣに入力される
ことを特徴とする請求項１０に記載の直流ー交流変換装置。
【請求項１２】  前記負荷はＣＣＦＬである
ことを特徴とする請求項１０または請求項１１に記載の直流ー交流変換装置。
【請求項１３】  前記半導体スイッチ回路をスイッチングさせるＰＷＭ制御信号を出力する少なくとも１つのＰＷＭ制御信号出力端子と、
前記間欠動作制御信号発生回路が前記第一状態と前記第二状態との間で変化する周波数を決定するコンデンサを接続するための発振周波数設定コンデンサ接続端子と、
前記間欠動作信号発生回路に前記コントローラＩＣ外部から間欠動作時のデューティ比を決定するデューティ信号が入力されるデューティ比決定端子と、
を有することを特徴とする請求項１に記載のコントローラＩＣ。
【請求項１４】  半導体スイッチ回路を駆動して、負荷へ供給する交流電力を制御するためのコントローラＩＣであって、
前記負荷に流れる電流に基づく電流検出信号が入力される電流検出信号入力端子と、
前記電流検出信号に基づいて前記半導体スイッチ回路をスイッチングさせるＰＷＭ制御信号を発生するＰＷＭ制御信号発生回路と、
前記ＰＷＭ制御信号を出力する４つのＰＷＭ制御信号出力端子と、
間欠動作のための周波数設定コンデンサを接続するための間欠動作用コンデンサ接続端子と、
前記間欠動作のデューティ比を決定するデューティ信号が入力されるデューティ比決定端子と、
前記間欠動作用コンデンサ接続端子における信号および前記デューティ比決定端子における信号に基づいて決定される間欠動作信号を前記ＰＷＭ制御信号発生回路に内部接続し、前記半導体スイッチ回路出力端子から出力されるスイッチング信号を前記デューティ比で間欠的に停止させる内部結線と、
を有することを特徴とするコントローラＩＣ。
【請求項１５】  前記ＰＷＭ制御信号発生回路のスイッチングにおけるスロースタート期間を決定するコンデンサを接続するスロースタート用コンデンサ接続端子を、
さらに有することを特徴とする請求項１４に記載のコントローラＩＣ。
【請求項１６】  半導体スイッチ回路を駆動して、負荷へ供給する交流電力を制御するための制御装置であって、
ＰＷＭ用三角波信号を発生するＰＷＭ用三角波信号発生ブロックと、
前記負荷に流れる電流に基づく電流検出信号が入力される電流検出信号入力端子と、
前記ＰＷＭ用三角波信号および前記電流検出信号入力端子から入力された電流検出信号を受けて、前記電流検出信号に基づく誤差信号と前記ＰＷＭ用三角波信号とを比較し、前記半導体スイッチ回路をスイッチングさせるＰＷＭ制御信号を発生するＰＷＭ制御信号発生回路と、
第一状態と第二状態の間で間欠的に変化する間欠動作信号を発生する間欠動作信号発生回路と、
一定の電流を発生する電流源、前記間欠動作信号に基づいてオンオフ動作するスイッチ、および前記間欠動作信号が前記第一状態にある時に前記電流検出信号入力端子に前記電流源の電流を供給するダイオードを含む間欠動作制御回路と、
を有することを特徴とする制御装置。
【手続補正３】
【補正対象書類名】明細書
【補正対象項目名】０００１
【補正方法】変更
【補正の内容】
【０００１】
【発明の属する技術分野】
本発明は、電気機器付属の電源アダプタや、バッテリーなどの直流電源から、負荷を駆動するための交流電圧を発生する直流ー交流変換装置（以下、インバータという）、制御回路、制御装置、及びそのコントローラＩＣに関する。
【手続補正４】
【補正対象書類名】明細書
【補正対象項目名】００１３
【補正方法】変更
【補正の内容】
【００１３】
そこで、本発明は、二次巻線が負荷に接続される変圧器の一次巻線に半導体スイッチ回路を設け、この半導体スイッチ回路の各スイッチをパルス幅変調（ＰＷＭ）して定電流制御するとともに、間欠動作による制御を併用して、負荷へ電力供給できる範囲を広げるとともに、きめ細かい制御を可能とするインバータ、制御回路、制御装置及びそのコントローラＩＣを提供することを目的とする。
【手続補正５】
【補正対象書類名】明細書
【補正対象項目名】００１５
【補正方法】変更
【補正の内容】
【００１５】
【課題を解決するための手段】
本出願のコントローラＩＣは、半導体スイッチ回路を駆動して、負荷へ供給する交流電力を制御するためのコントローラＩＣであって、
前記負荷に流れる電流に基づく電流検出信号が入力される電流検出信号入力端子と、
前記電流検出信号入力端子から入力された電流検出信号に基づいて誤差信号を発生し、前記誤差信号に基づいて前記半導体スイッチ回路をスイッチングさせるＰＷＭ制御信号を発生するＰＷＭ制御信号発生回路と、
第一状態と第二状態の間で間欠的に変化する間欠動作信号を発生する間欠動作信号発生回路と、
前記間欠動作信号発生回路と前記コントローラＩＣ内部で接続され、前記間欠動作信号が前記第一状態にある時に前記ＰＷＭ制御信号発生回路による前記半導体スイッチ回路のスイッチングを停止させる間欠動作制御回路と、を有することを特徴とする。
また、前記間欠動作信号は前記ＰＷＭ制御信号発生回路に入力される、ことを特徴とする。
また、前記間欠動作制御回路は、前記電流検出信号入力端子に接続されるとともに、一定の電流を出力する電流源と、前記電流源の一端と接続され、前記間欠動作信号に基づいてオンオフ動作するスイッチと、前記間欠動作信号が前記第一状態にある時に前記電流検出信号入力端子に前記電流源の電流を供給するダイオードと、を有することを特徴とする。
また、前記ＰＷＭ制御信号発生回路は、前記電流検出信号と基準信号とに基づいて前記誤差信号を発生する誤差増幅器を有し、前記誤差信号に基づいて前記半導体スイッチ回路をスイッチングさせる、ことを特徴とする。
また、前記間欠動作信号は、前記誤差増幅器に入力され、前記間欠動作制御信号が前記第一状態にある時に前記誤差信号を実質上零に設定させる、ことを特徴とする。
また、前記誤差信号を前記コントローラＩＣ外部へ出力する誤差信号出力端子を有することを特徴とする。
また、一定の電流を出力する電流源を有し、前記間欠動作制御回路は、間欠動作信号が前記第一状態にある時に前記電流源からの電流を前記電流検出信号入力端子から前記コントローラＩＣ外部に流すことで前記誤差信号を実質上零に設定させることを特徴とする。
また、前記半導体スイッチ回路をスイッチングさせるＰＷＭ制御信号を出力する少なくとも１つのＰＷＭ制御信号出力端子と、前記間欠動作制御信号発生回路が前記第一状態と前記第二状態との間で変化する周波数を決定するコンデンサを接続するための発振周波数設定コンデンサ接続端子と、前記間欠動作信号発生回路に前記コントローラＩＣ外部から間欠動作時のデューティ比を決定するデューティ信号が入力されるデューティ比決定端子と、を有することを特徴とする。
【手続補正６】
【補正対象書類名】明細書
【補正対象項目名】００１６
【補正方法】変更
【補正の内容】
【００１６】
本出願の制御回路は、請求項６に記載のコントローラＩＣと、前記コントローラＩＣの電流検出信号入力端子と誤差信号出力端子との間に接続されているコンデンサと、を有することを特徴とする。
また、請求項８に記載のコントローラＩＣと、前記コントローラＩＣの電流検出信号入力端子に接続されるコンデンサとを有し、前記電流検出信号入力端子からの電流による前記コンデンサの充電によって前記電流検出信号入力端子の電位が上昇することで前記誤差信号が実質上零に設定されることを特徴とする。
【手続補正７】
【補正対象書類名】明細書
【補正対象項目名】００１７
【補正方法】変更
【補正の内容】
【００１７】
本発明のインバータは、請求項１に記載のコントローラＩＣと、前記コントローラＩＣから出力される前記ＰＷＭ制御信号によってスイッチングされる半導体スイッチ回路と、前記半導体スイッチ回路と接続される一次巻線と、少なくとも１つの二次巻線を有する変圧器と、前記変圧器の前記二次巻線に接続される負荷と、を有することを特徴とする
また、前記負荷に流れる電流に基づく電流検出信号を出力する電流検出回路を有し、前記電流検出信号は前記コントローラＩＣの電流検出信号入力端子より前記コントローラＩＣに入力されることを特徴とする。
また、前記負荷はＣＣＦＬであることを特徴とする。
【手続補正８】
【補正対象書類名】明細書
【補正対象項目名】００１８
【補正方法】変更
【補正の内容】
【００１８】
本出願のコントローラＩＣは、半導体スイッチ回路を駆動して、負荷へ供給する交流電力を制御するためのコントローラＩＣであって、
前記負荷に流れる電流に基づく電流検出信号が入力される電流検出信号入力端子と、
前記電流検出信号に基づいて前記半導体スイッチ回路をスイッチングさせるＰＷＭ制御信号を発生するＰＷＭ制御信号発生回路と、
前記ＰＷＭ制御信号を出力する４つのＰＷＭ制御信号出力端子と、
間欠動作のための周波数設定コンデンサを接続するための間欠動作用コンデンサ接続端子と、
前記間欠動作のデューティ比を決定するデューティ信号が入力されるデューティ比決定端子と、
前記間欠動作用コンデンサ接続端子における信号および前記デューティ比決定端子における信号に基づいて決定される間欠動作信号を前記ＰＷＭ制御信号発生回路に内部接続し、前記半導体スイッチ回路出力端子から出力されるスイッチング信号を前記デューティ比で間欠的に停止させる内部結線と、
を有することを特徴とする。
また、前記ＰＷＭ制御信号発生回路のスイッチングにおけるスロースタート期間を決定するコンデンサを接続するスロースタート用コンデンサ接続端子を、さらに有することを特徴とする。
【手続補正９】
【補正対象書類名】明細書
【補正対象項目名】００１９
【補正方法】変更
【補正の内容】
【００１９】
本出願の制御装置は、半導体スイッチ回路を駆動して、負荷へ供給する交流電力を制御するための制御装置であって、
ＰＷＭ用三角波信号を発生するＰＷＭ用三角波信号発生ブロックと、
前記負荷に流れる電流に基づく電流検出信号が入力される電流検出信号入力端子と、
前記ＰＷＭ用三角波信号および前記電流検出信号入力端子から入力された電流検出信号を受けて、前記電流検出信号に基づく誤差信号と前記ＰＷＭ用三角波信号とを比較し、前記半導体スイッチ回路をスイッチングさせるＰＷＭ制御信号を発生するＰＷＭ制御信号発生回路と、
第一状態と第二状態の間で間欠的に変化する間欠動作信号を発生する間欠動作信号発生回路と、
一定の電流を発生する電流源、前記間欠動作信号に基づいてオンオフ動作するスイッチ、および前記間欠動作信号が前記第一状態にある時に前記電流検出信号入力端子に前記電流源の電流を供給するダイオードを含む間欠動作制御回路と、
を有することを特徴とする。